(57)【要約】【課題】液漏れ防止性、特に体表を伝って流れる液を確実に吸収体へ導き液漏れを防止する性能に優れる吸収性物品を提供すること。【解決手段】本発明の吸収性物品は、着用者の肌側に向けられる繊維層５と吸収体４側に配される基材層６とを有する表面シート２を有している。繊維層５と基材層６とは部分的に接合されて多数の接合部７が形成されている。繊維層５は、接合部７以外の部分において着用者の肌側に向けて凸のループ部８を多数形成している。表面シート２における所定の領域に位置する一群のループ部８は、傾斜して所定の一方向に配向している。【選択図】　　図２
2004121701.tif 000002
【特許請求の範囲】
【請求項１】
着用者の肌側に向けられる繊維層と吸収体側に配される基材層とを有しており、該繊維層と該基材層とが部分的に接合されて多数の接合部が形成されており、該繊維層が、該接合部以外の部分において着用者の肌側に向けて凸のループ部を多数形成している表面シートを有する吸収性物品であって、
該表面シートにおける所定の領域に位置する一群の該ループ部が傾斜して所定の一方向に配向している吸収性物品。
【請求項２】
前記吸収性物品の後方領域に位置する一群の前記ループ部が、該吸収性物品の中央部に向けて傾斜し配向している請求項１記載の吸収性物品。
【請求項３】
前記吸収性物品の前方領域に位置する一群の前記ループ部が、該吸収性物品の中央部に向けて傾斜し配向している請求項１又は２記載の吸収性物品。
【請求項４】
前記吸収性物品の側部領域に位置する一群の前記ループ部が、該吸収性物品の中央部に向けて傾斜し配向している請求項１〜３の何れかに記載の吸収性物品。
【請求項５】
前記所定の領域に位置する前記接合部は強接合領域と弱接合領域とからなり、該強接合領域及び該弱接合領域は、前記ループ部の傾斜方向に沿って配列し且つ該傾斜方向に関して該弱接合領域が該強接合領域よりも前側に位置しており、前記フィラメント層と前記基材層とを前記接合部において接合した後、該基材層を収縮させることで前記ループ部を形成し且つ傾斜させる請求項１〜４の何れかに記載の吸収性物品。
【請求項６】
前記ループ部の傾斜方向に沿って隣り合う前記接合部間に引いたベースライン及び該ベースラインの垂直二等分線を考えたときに、該傾斜方向に関し、該垂直二等分線よりも後側に位置する前記ループ部の描く曲線と、該垂直二等分線と、該ベースラインとで取り囲まれる領域Ｒ１の面積をＡ１とし、また該垂直二等分線よりも前側に位置する前記ループ部の描く曲線と、該垂直二等分線と、該ベースラインとで取り囲まれる領域Ｒ２の面積をＡ２としたとき、Ａ２／Ａ１が１．５〜１５である請求項１〜５の何れかに記載の吸収性物品。
【請求項７】
前記接合部に導液孔が形成されている請求項１〜６の何れかに記載の吸収性物品。
【請求項８】
着用者の肌側に向けられる繊維層と吸収体側に配される基材層とを有しており、該繊維層と該基材層とが部分的に接合されて多数の接合部が形成されており、該繊維層が、該接合部以外の部分において着用者の肌側に向けて凸のループ部を多数形成している吸収性物品用の表面シートであって、
該表面シートにおける所定の領域に位置する一群の該ループ部が傾斜して所定の一方向に配向している吸収性物品用の表面シート。
【請求項９】
請求項８記載の表面シートの製造方法であって、
前記繊維層と熱収縮性を有する前記基材層とを重ね合わせ、両者を多数の前記接合部において部分的に接合する接合工程、及び接合後に熱を付与して前記基材層を収縮させ、相隣接する前記接合部間に位置する前記繊維層を前記基材層とは反対側に隆起させてループ部を形成するループ部形成工程を含み、
前記接合工程において形成される前記接合部は、強接合領域と弱接合領域とからなり、該強接合領域及び該弱接合領域が、前記基材層の収縮方向に沿って配置されるように、これらの接合領域をそれぞれ形成する表面シートの製造方法。
【発明の詳細な説明】
【０００１】
【発明の属する技術分野】
本発明は、生理用ナプキンやパンティライナ等の吸収性物品に関し、更に詳しくは液漏れの防止効果が高く、サラット感に優れ、また着用者に与える感触が良好な吸収性物品に関する。
【０００２】
【従来の技術及び発明が解決しようとする課題】
液透過性の基材と該基材の表面に設けられたフィラメント層とを有し、両者が部分的に接合されて複数の接合部が形成されており、接合部と接合部との間においてフィラメントがループ部を形成している表面層を具備する吸収性物品が知られている（特許文献１参照）。この吸収性物品は、連続フィラメントのループ部を身体の動きに追随させそれによって肌に対する刺激を抑え、また吸収層への透過性を高めたり液戻りを抑制しようとするものである。
【０００３】
しかし前記ループ部は、上方に向けて均等に、つまり対称形に突出したものなので、就寝中など身体が横向きや仰向けになった場合には、体表を流れる液を吸収してその流れを抑制する効果に乏しい。また、装着圧や身体の動きに起因する圧力が前記ループ部に加わった場合、それぞれのループ部が独立して様々な方向に傾斜してしまう。これに起因して肌触りが悪化し、また液の吸収性も悪化してしまう。
【０００４】
前記の特許文献１とは別に、不織布やフィルムを吸収性物品の長手方向に折り畳んで、吸収面の上面の中央両脇に折り畳んだひだを形成し、該ひだが中央側を向いている表面シートが知られている（特許文献２及び３参照）。この表面シートは、ひだを中央側を向くように形成することで、横漏れを防止し、またひだの蛇腹構造によって身体へのフィット性を高めようとするものである。
【０００５】
しかし、前記ひだは吸収性物品の長手方向に連続しているので、就寝中など身体が横向きになった場合には、該ひだを伝って液が長手方向に流れやすくなり、漏れ防止効果が十分に高いとはいえない。
【０００６】
【特許文献１】
特開２００２−６５７３６号公報
【特許文献２】
特開平６−１４２１３４号公報
【特許文献３】
特開平６−１６９９４８号公報
【０００７】
従って、本発明は、液漏れ防止性、特に体表を伝って流れる液を確実に吸収体へ導き液漏れを防止する性能に優れる吸収性物品を提供することを目的とする。
また本発明は、肌触りが良好でクッション感の高い吸収性物品を提供することを目的とする。
【０００８】
【課題を解決するための手段】
本発明は、着用者の肌側に向けられる繊維層と吸収体側に配される基材層とを有しており、該繊維層と該基材層とが部分的に接合されて多数の接合部が形成されており、該繊維層が、該接合部以外の部分において着用者の肌側に向けて凸のループ部を多数形成している表面シートを有する吸収性物品であって、
該表面シートにおける所定の領域に位置する一群の該ループ部が傾斜して所定の一方向に配向している吸収性物品を提供することにより前記目的を達成したものである。
【０００９】
また本発明は、着用者の肌側に向けられる繊維層と吸収体側に配される基材層とを有しており、該繊維層と該基材層とが部分的に接合されて多数の接合部が形成されており、該繊維層が、該接合部以外の部分において着用者の肌側に向けて凸のループ部を多数形成している吸収性物品用の表面シートであって、
該表面シートにおける所定の領域に位置する一群の該ループ部が傾斜して所定の一方向に配向している吸収性物品用の表面シートを提供するものである。
【００１０】
また本発明は、前記表面シートの製造方法であって、
前記繊維層と熱収縮性を有する前記基材層とを重ね合わせ、両者を多数の前記接合部において部分的に接合する接合工程、及び接合後に熱を付与して前記基材層を収縮させ、相隣接する前記接合部間に位置する前記繊維層を前記基材層とは反対側に隆起させてループ部を形成するループ部形成工程を含み、
前記接合工程において形成される前記接合部は、強接合領域と弱接合領域とからなり、該強接合領域及び該弱接合領域が、前記基材層の収縮方向に沿って配置されるように、これらの接合領域をそれぞれ形成する表面シートの製造方法を提供するものである。
【００１１】
【発明の実施の形態】
以下本発明を、その好ましい実施形態に基づき図面を参照しながら説明する。図１には本発明の吸収性物品の一実施形態としての生理用ナプキンの斜視図が示されており、図２には図１おけるＩＩ−ＩＩ線断面図が示されている。
【００１２】
図１及び図２に示すように、本実施形態のナプキン１は縦長形状をしており、液透過性の表面シート２、液不透過性の裏面シート３及び両シート間に介在配置された液保持性の吸収体を有している。裏面シート３及び吸収体４としては、この種の吸収性物品に従来用いられているものと同様のものを用いることができる。表面シート２としては以下に述べるものが用いられる。
【００１３】
表面シート２は、着用者の肌側に向けられるフィラメント層５と吸収体４側に配される基材層６とを有しており、フィラメント層５と基材層６とが部分的に接合されて多数の接合部７が形成されている。フィラメント層５は、接合部７以外の部分において、着用者の肌側に向けて凸のループ部８を多数形成している。なお簡便のため、図１においてはループ部８がナプキン１の中央部にのみ描かれているが、実際にナプキン１の肌当接面の全域にループ部が形成されている。
【００１４】
フィラメント層５は、多数本のフィラメントのトウからなり、各々のフィラメントは、表面シート２を平面視した場合に概ね一方向に延びている（以下、この方向を表面シートのＸ方向ともいう）。表面シートのＸ方向は、表面シート２を製造する際のシートの流れ方向（機械方向）と同じであり、また、ナプキン１に組み込まれた状態においてはナプキン１の長手方向と同じである。
【００１５】
図３は、図２に示す表面シートの一部をフィラメント層側から視た部分拡大平面図が示されている。図３に示すように、フィラメント層５と基材層６とは、表面シート２のＸ方向及び表面シート２の面内でＸ方向と直交する方向（以下、Ｙ方向ともいう）において、互いに、それぞれ間欠的に接合されており、それにより、多数の接合部７が平面視において千鳥状に形成されている。接合部７は、フィラメント層５と基材層６とを部分的に熱融着させて形成されており、表面シート２のＸ方向及びＹ方向に各々直列する多数の接合部７は各々等ピッチである。個々の接合部７の外形は平面視において矩形状である。
【００１６】
図２に示すように、フィラメント層５は、接合部７以外の部分、具体的には、Ｘ方向において相隣接する各接合部７，７間に位置する部分において、着用者の肌側に向かう方向に大きく張り出すように隆起しており、その張り出し部分が、内側に空間を有するループ部８を形成している。ループ部８はナプキン１の長手方向に連続して形成されたものでもなければ、幅方向に連続して形成されたものでもない。つまり各ループ部８は、それらのうちの任意の一つのループ部に着目したときに、当該ループ部の前後左右に他のループ部が位置するように配列されている。その結果、従来技術の項で述べた特許文献２及び３に記載の吸収性物品と異なり、本実施形態のナプキン１では、ループ部８に沿って液流れが起こりやすくなるという不都合はない。
【００１７】
図１及び図２に示すように、各ループ部８は、ナプキン１の後方領域Ｒから前方領域Ｆに向かって傾斜して一方向に配向している。つまり図２に示すように、ナプキン１の長手方向に沿ってフィラメント層５をみたとき、該フィラメント層５から形成されるループ部８は、その頂点を通る垂線に関して対称形とはなっておらず、ナプキン１の前方領域Ｆ方向に向かって傾斜した非対称形となっている。ループ部８はその頂部が繊維密度が最も低く、接合部７に向かうにつれて繊維密度が漸次高くなっている。
【００１８】
ループ部８がナプキン１の前方領域Ｆ方向に向かって傾斜していることによって、次の有利な効果が奏される。先ず、ループ部８が存在することによって、ループ部８が着用者の体表とフィットし、表面シート２と体表との間に隙間が生じにくくなる。特に女性は就寝中仰向けの姿勢をとる場合が多く、そのような姿勢の場合、ナプキンに加わる体圧が低くなりそれに起因してナプキンの表面シートと体表との間に隙間が生じやすいが、本実施形態のようにループ部８が形成されていることで、そのような姿勢であっても隙間が生じにくくなる。その上、例えば就寝中に排泄された液が、体表を伝って流れるときに、傾斜状態にあるループ部８が、その流れに対する物理的な障壁となり、それ以上体表を伝って液が流れることが阻止される。この状態を図４に示す。図４は、着用者が横になった姿勢でのループ部８の向きを示しており、同図中上下方向が鉛直方向に相当する。
【００１９】
また、図４に示すように、ループ部８によって流れが阻止された液はループ部８によって吸収される。先に述べた通り、ループ部８はその頂部が繊維密度が最も低く、接合部７に向かうにつれて繊維密度が漸次高くなっているので、ループ部８に吸収された液には毛細管力が働く。更に重力の作用も加わりループ部８に吸収された液は、その頂部から接合部７に向かって素早く引き込まれ、更に基材層６を通じて吸収体４に円滑に導かれる。このように本実施形態のナプキン１によれば、装着圧が低くなる就寝中でも、体表に沿って重力方向に流れる液がループ部８を介して吸収体４に確実に導びかれ、液漏れが極めて効果的に防止される。また、ループ部８での液残りが少なくなる。更に凸のループは、肌との接触面積を低減させるので、液残りが少ないことと相俟って、表面シート２のサラット感を向上させる。これに対して従来技術の項で述べた特許文献１記載の吸収性物品は、着用者が横になった姿勢ではループ部の繊維の配向方向が重力の方向と直交してしまうので、毛細管力が働きにくくなり、該ループ部が液を確実に吸収できない。その結果、液は体表に沿って重力方向に流れてしまったり、或いはループ部に滞留したままとなって、不快なべたつき感が生じやすくなる。
【００２０】
前記の効果に加え、ループ部８がすべて一方向に傾斜していることによって、表面シート２の肌触りが極めて良好になるという利点もある。即ち、表面シート２はあたかも、一方向に梳き揃えられた頭髪のような良好な滑らか感を呈する。逆に、ループ部８の傾斜方向と反対方向に肌を滑らすと高摩擦力が生じることから、ナプキン１の位置ズレが効果的に防止されるという利点もある。更にループ部８はアーチ状となっており、圧縮に対する回復性が高いのでクッション感も良好である。
【００２１】
以上の各種効果を有効に発現させる観点から、ループ部８は次に述べるような形状であることが好ましい。即ち、図５に示すように、ループ部８の傾斜方向に沿って隣り合う二つの接合部７間に引いたベースラインＢ及び該ベースラインＢの垂直二等分線Ｖを考えたときに、該傾斜方向に関し、垂直二等分線Ｖよりも後側Ｒに位置するループ部８の描く曲線と、垂直二等分線Ｖと、ベースラインＢとで取り囲まれる領域Ｒ１の面積をＡ１とし、また垂直二等分線Ｖよりも前側Ｆに位置するループ部８の描く曲線と、垂直二等分線Ｖと、ベースラインとＢで取り囲まれる領域Ｒ２の面積をＡ２としたとき、Ａ２／Ａ１が１．５〜１５、特に２〜１０であることが好ましい。
【００２２】
ループ部８はその高さが、接合部７の上面を基準として１〜５ｍｍ、特に１〜３ｍｍであることが、ループ部８によるクッション感の発現、フィット性や吸収性能の向上の点から好ましい。またループ部８は、ナプキン１の長手方向におけるピッチが、２〜２０ｍｍ、特に３〜１０ｍｍであることが、表面の滑らかさや良好な肌触りの発現、ループ部８の吸収性能の向上の点から好ましい。同様の理由により、ループ部８は平面視して、ナプキン１の幅方向における寸法が１〜１０ｍｍ、特に２〜７ｍｍであり、ナプキン１の長手方向における寸法が、２〜２０ｍｍ、特に３〜１０ｍｍであることが好ましい。
【００２３】
本実施形態においては、表面シート２における肌対向面は多数のトウからなるフィラメント層５から構成されているが、フィラメント層５に代えて、液透過の可能な他の繊維層を用いることもできる。そのような繊維層の例としては、連続繊維の不織布であるスパンボンド不織布、短繊維の集合体であるカードウェブ、熱で繊維を融着した不織布、水流交絡法、ニードルパンチ法、メルトブローン法等で得られた不織布、編物、織物等が挙げられる。中でも、本実施形態のような多数のトウや、カードウェブをエアスルー法で熱融着させた不織布を繊維層として用いると、柔軟なループ部８を形成できるので好ましい。特にトウは繊維が連続して並んでいるので、ループ部８における頂部から接合部７へ向けての毛細管力が働きやすく、ループ部８の吸収性が一層高くなるので好ましい。
【００２４】
フィラメント層５をはじめとする繊維層の構成繊維としては、ポリエチレン繊維、ポリプロピレン繊維等のポリオレフィン繊維、ポリエチレンテレフタレート繊維等のポリエステル繊維やこれらの複合繊維、例えばポリエチレン／ポリプロピレン複合繊維、ポリエチレン／ポリエステル複合繊維、ナイロン繊維、レーヨン繊維、コットン等のセルロース繊維等が挙げられる。特に、接合部７での接着性が良いことから、ポリオレフイン繊維等の熱可塑性繊維、特に、ポリエチレン／ポリプロピレン複合繊維、ポリエチレン／ポリエステル複合繊維が好ましい。これら、ポリオレフィン繊維などの熱可塑性繊維は、一般にその表面が親水性でないので吸収性に乏しい。従って、表面が親水性になるように、界面活性剤で処理して親水化することが好ましい。
【００２５】
基材層６は液体透過性であれば、特に限定されるものではない。例えば、不織布、連続フィラメントからなるトウ、織物、編物、ポリエチレンフィルムを開孔したフィルム、開孔ネット等を使用することができる。これらのうち、特に不織布を用いることが好ましい。不織布としては、熱融着法によって形成された不織布、水流交絡法によって形成された不織布、ニードルパンチ法によって形成された不織布、溶剤接着法によって形成された不織布、スパンボンド法によって形成された不織布、メルドブローン法によって形成された不織布等が挙げられる。不織布を構成する繊維としては、基材層６とフィラメント層５とを熱融着可能とし且つ高い接合強度を得る観点から、熱可塑性ポリマー材料からなる繊維が好ましい。熱可塑性ポリマー材料としては、ポリエチレンやポリプロピレン等のポリオレフィン、ポリエチレンテレフタレート等のポリエステル、ポリアミドなどが挙げられる。また、これらの熱可塑性ポリマー材料の組み合わせからなる芯鞘型又はサイド・バイ・サイド型の複合繊維を用いることもできる。また、レーヨン、コットン等の親水性繊維を混ぜても良い。
【００２６】
特に、後述する表面シートの好ましい製造方法を採用する場合には、基材層６は収縮可能であることが好ましい。例えば、ポリウレタン等のエラストマー的挙動を示す繊維や不織布、開孔フィルム、ネット、熱の付与によって収縮する不織布、開孔フィルム、ネットなどが用いられる。
【００２７】
次に、本実施形態のナプキン１における表面シートを製造するための好ましい方法について図６〜図８を参照して説明する。先ず、図６に示すように、一方向に連続搬送される基材層６の片面に、フィラメント層５を積層する。基材層６は予め別工程において製造しておいてもよく、或いは表面シート２の製造過程における一工程としてインラインで製造されてもよい。基材層５は熱収縮可能になっている。得られた積層体を、周面に、接合部形成用の多数の凸部８２を有する凸ロール８１と該凸ロール８１に対向配置された受けロール（アンビルロール）８４との間に挿通し、該凸部８２と受けロール８４の周面との間で加圧及び加熱することにより、基材層６とフィラメント層５とを部分的に熱融着させ、接合部７を多数形成させる。この場合、少なくとも凸ロール８１の凸部８２を加熱しておく。
【００２８】
図７には、図６における凸ロール８１及び凸部８２の拡大図が示されている。凸部８２は、横長の直方体であって且つ該直方体の上面における２つの長辺のうちの一方の長辺を含む稜部を斜めに切り取った形状をしている。その結果、凸部８２は上面８２ａ及び該上面につらなる斜面８２ｂを有している。斜面８２ｂは、凸ロール８１の幅方向に沿って延びており且つ凸ロール８１の回転方向に関して前側に位置している。このような凸部８２を有する凸ロール８１を用いて基材層６とフィラメント層５とを接合すると、図６に示すように、先ず、凸部８２の斜面８２ｂと受けロール８４とによる挟圧で、基材層６とフィラメント層５とが弱く接合されて弱接合領域７ｂが形成され、それに引き続き上面８２ａと受けロール８４とによる挟圧で、基材層６とフィラメント層５とが強く接合されて強接合領域７ａが形成される。その結果、接合部７はこれら二つの接合領域から構成されている。これら二つの接合領域は、基材層６の収縮方向に沿って配置されるように形成されている。
【００２９】
接合部７の形成後、積層体を熱風炉８３内に通し熱を付与する。これによって基材層６を熱収縮させる。しかし、フィラメント層５は熱収縮しない。基材層６の熱収縮は、接合部７よりも接合部７間で優先的に生じる。これにより、フィラメント層５における、相隣接する接合部７間に位置する部分が基材層６とは反対側に隆起してループ部８が形成される。基材層６の収縮は少なくともフィラメント層５の配列方向と同方向（つまり一軸方向）に起こる必要がある。また基材層５は、これに加えて、フィラメント層５の配列方向と直交する方向に収縮してもよい。つまり二軸方向に収縮してもよい。
【００３０】
図８には、基材層６の収縮によるループ部８の形成過程が模式的に示されている。なお、同図では基材層６は省略されている。接合部７の強接合領域７ａにおいては熱が付与されても収縮はほとんど生じない。従って、強接合領域７ａとフィラメント層５との境界部においてはフィラメント層５は上方に向かって強く隆起される。これに対して弱接合部７ｂは、熱の付与によって若干収縮する。その結果、弱接合領域７ｂとフィラメント層５との境界部においてはフィラメント層５の隆起が弱められる。つまり、なだらかに隆起する。その結果、フィラメント層５の隆起によって形成されたループ部８は直立せずに傾斜することになる。このように、本製造方法によれば、接合部７は強接合領域７ａと弱接合領域７ｂとからなり、強接合領域７ａ及び弱接合領域７ｂは、ループ部８の傾斜方向に沿って配列し且つ該傾斜方向に対して弱接合領域７ｂが強接合領域７ａよりも前側に位置する。本製造方法によって形成されたループ部８は、その頂部の繊維密度が最も低く、接合部に向かうにつれて繊維密度が漸次大きくなる。
【００３１】
本実施形態のナプキン１における表面シート２の製造方法は前述のものに限られず、次に述べる方法（１）〜（３）を採用することもできる。なお、これらの方法によれば、基材層６として収縮可能なものを用いる必要はない。
【００３２】
方法（１）
予め、フィラメント層５を所定手段によって傾斜したループ状に加工し、その後に基材層６と接合させる。
方法（２）
予め、フィラメント層５を所定手段によって直立したループ状に加工し、その後に基材層６と接合させる際にループを所定手段によって傾斜させる。
方法（３）
基材層６に、糸ゴムなどの弾性部材を伸張状態で接合し、接合後、その伸張状態を維持したままで基材層６にフィラメント層５を接合し、その後に伸張状態を解除することで、接合部間に位置するフィラメント層５を隆起させてループ部を形成する。
【００３３】
次に、本発明の第２の実施形態について図９及び図１０を参照しながら説明する。これらの実施形態については、第１の実施形態と異なる点についてのみ説明し、特に説明しない点については、第１の実施形態に関して詳述した説明が適宜適用される。また、図９及び図１０において、図１〜図８と同じ部材に同じ符号を付してある。
【００３４】
図９に示す実施形態においては、ナプキン１の後方領域Ｒ、前方領域Ｆ、中央側部領域Ｓ，Ｓ及び中央領域Ｃそれぞれにおけるループ部８の傾斜配向方向が相違している。詳細には、ナプキン１の後方領域Ｒに位置する一群のループ部８は、ナプキン１の中央部に向けて傾斜し配向している。ナプキン１の前方領域Ｆに位置する一群のループ部８も、同じくナプキン１の中央部に向けて傾斜し配向している。従って、後方領域Ｒに位置するループ部８と、前方領域Ｆに位置するループ部８とは、互いに向かい合うようにそれらの傾斜方向が反対になっている。更に、ナプキン１の中央側部領域Ｓ，Ｓにそれぞれ位置する一群のループ部８も、ナプキン１の中央部に向けて傾斜し配向している。従って、各中央側部領域Ｓ，Ｓにそれぞれ位置するループ部８は、互いに向かい合うようにそれらの傾斜方向が反対になっている。一方、ナプキン１の中央領域Ｃに位置する一群のループ部８は傾斜しておらず直立している。このような傾斜状態となっているループ部８を有する表面シートを備えたナプキン１においては、着用者がどのような姿勢になっていても、体表を伝って流れる液は、ループ部８によってその流れが阻止され、ループ部８を通じて吸収されて吸収体へと円滑に導かれる。
【００３５】
本実施形態のナプキン１における表面シートを製造するには、図１０に示す凸ロール８１’を用いることが好ましい。図１０においては、凸ロール８１’の周面を平面に展開した状態が示されており、同図中矢印Ａで示す方向がロールの回転方向である。ロール周面は、前方領域対応部８１Ｆ’、後方領域対応部８１Ｒ’、中央側部領域対応部８１Ｓ’、及び中央領域対応部８１Ｃ’に区分されている。
【００３６】
各対応部はそれぞれ多数の凸部を有している。各対応部の凸部のうち、前方領域対応部８１Ｆ’、後方領域対応部８１Ｒ’、及び中央側部領域対応部８１Ｓ’に設けられている凸部８２Ａ’は、第１の実施形態の表面シートを製造するために用いられる凸ロール８１に設けられている凸部８２と同じ形状をしており、図１０に示すように、上面８２ａ’及び斜面８２ｂ’を有している。一方、中央領域対応部８１Ｃ’に設けられている凸部８２Ｂ’は横長の直方体となっており、上面８２ａ’を有しているが斜面は有していない。
【００３７】
後方領域対応部８１Ｒ’に設けられた凸部８２Ａ’においては、斜面８２ｂ’は、凸ロール８１’の幅方向に沿って延びており且つ凸ロール８１’の回転方向に関して前側に位置している。前方領域対応部８１Ｆ’　に設けられた凸部８２Ａ’においては、斜面８２ｂ’は、凸ロール８１’の幅方向に沿って延びており且つ凸ロール８１’の回転方向に関して後側に位置している。中央側部領域対応部８１Ｓ’　に設けられた凸部８２Ａ’においては、斜面８２ｂ’は、凸ロール８１’の回転方向に沿って延びており且つ中央領域対応部８１Ｃ’側を向くように位置している。また、中央領域対応部８１Ｃ’に設けられた凸部８２Ｂ’は、凸ロール８１’の幅方向に沿って延びている。
【００３８】
図１０に示す凸ロール８１’を用いて第１の実施形態に関して説明した表面シートの製造方法に準じて表面シートを製造すると、図９に示すナプキン１の後方領域Ｒ、前方領域Ｆ、及び中央側部領域Ｓ，Ｓに形成される接合部は強接合領域と弱接合領域とからなり、該強接合領域及び該弱接合領域は、前記ループ部の傾斜方向に沿って配列し且つ該傾斜方向に対して該弱接合領域が該強接合領域よりも前側に位置する。一方、中央領域Ｃにおいては、接合部は単一の接合強度で形成され、強接合領域及び弱接合領域は形成されない。なお、本実施形態においては、基材層は二軸方向に収縮する必要がある。
【００３９】
本発明は前記実施形態に制限されない。例えばループ部の傾斜配向の態様としては、第１及び第２の実施形態の他に、図１１に示すものも挙げられる。図１１に示すナプキン１においては、ナプキン１の後方領域Ｒ、前方領域Ｆ、中央領域Ｃそれぞれにおけるループ部８の傾斜配向方向が相違している。詳細には、ナプキン１の後方領域Ｒに位置する一群のループ部８は、ナプキン１の中央部に向けて傾斜し配向している。ナプキン１の前方領域Ｆに位置する一群のループ部８も、同じくナプキン１の中央部に向けて傾斜し配向している。一方、ナプキン１の中央領域Ｃに位置する一群のループ部８は傾斜しておらず直立している。このような傾斜状態となっているループ部８を有する表面シートを備えたナプキン１においても、着用者がどのような姿勢になっていても、体表を伝って流れる液は、ループ部８によってその流れが阻止され、ループ部８を通じて吸収されて吸収体へと円滑に導かれる。
【００４０】
また、前述の各実施形態のナプキンにおいては、開口した導液孔を接合部７に形成し、液の透過を一層促進させるようにしてもよい。導液孔は、フィラメント層側の開口部から基材層側の開口部に向かうに連れて水平断面の断面積が減少していることが、液戻りの防止の点から好ましい。
【００４１】
また、本発明の吸収性物品は、生理用ナプキンに限られず、パンティライナー、失禁パッド、使い捨ておむつ等の他の吸収性物品にも同様に適用できる。
【００４２】
【発明の効果】
本発明の吸収性物品によれば、液漏れ防止性、特に体表を伝って流れる液を確実に吸収体へ導き液漏れを防止することができる。また、本発明の吸収性物品は、肌触りが良好でクッション感が高く、装着感が快適となる。
【図面の簡単な説明】
【図１】本発明の吸収性物品の一実施形態としての生理用ナプキンを示す斜視図である。
【図２】図１おけるＩＩ−ＩＩ線断面図である。
【図３】図２に示す表面シートの一部をフィラメント層側から見た部分拡大平面図である。
【図４】図１に示すナプキンによる液の吸収機構を示す模式図である。
【図５】ループ部の形状を拡大して示す模式図である。
【図６】図１に示すナプキンの表面シートを製造する方法を示す模式図である。
【図７】凸ロールの要部を拡大して示す模式図である。
【図８】ループ部の形成過程を示す模式図である。
【図９】本発明の吸収性物品の第２の実施形態を模式的に表す平面図である。
【図１０】図９に示す吸収性物品を製造するために用いられる凸ロールの周面を平面に展開した状態を示す模式図である。
【図１１】本発明の吸収性物品の他のの実施形態を模式的に表す平面図（図９相当図）である。
【符号の説明】
１　生理用ナプキン（吸収性物品）
２　表面シート
３　裏面シート
４　吸収体
５　フィラメント層
６　基材層
７　接合部
７ａ　強接合領域
７ｂ　弱接合領域
８　ループ部
【図１】
2004121701.tif 000003
【図２】
2004121701.tif 000004
【図３】
2004121701.tif 000005
【図４】
2004121701.tif 000006
【図５】
2004121701.tif 000007
【図６】
2004121701.tif 000008
【図７】
2004121701.tif 000009
【図８】
2004121701.tif 000010
【図９】
2004121701.tif 000011
【図１０】
2004121701.tif 000012
【図１１】
2004121701.tif 000013